(57)【要約】【課題】ＯＳＤ画像の視認性を向上させることができる映像機器を提供する。【解決手段】映像出力回路４は、ＯＳＤ画像の表示位置を含み表示画面の一部である表示領域における画像色の平均化をＲＧＢ信号に基づき実行し、マイコン６は、該実行結果が示す色の反対色を決定し、映像出力回路４は、該決定された反対色のＯＳＤ信号をＲＧＢ信号に重畳し重畳後の映像信号をＬＣＤ５に出力する。【選択図】図１
2008197300.tif 000002
【特許請求の範囲】
【請求項１】
ＯＳＤ画像の表示位置を含み表示画面の一部であるような表示領域における画像色の平均化を映像信号に基づき実行する画像色平均化手段と、該実行結果が示す色に対する反対色を決定する反対色決定手段と、該決定された反対色のＯＳＤ信号を前記映像信号に重畳し重畳後の映像信号を出力する映像信号出力手段と、を備えることを特徴とする映像機器。
【請求項２】
ＯＳＤ画像の表示位置を含む表示領域における画像色の平均化を映像信号に基づき実行する画像色平均化手段と、該実行結果が示す色に対する反対色を決定する反対色決定手段と、該決定された反対色のＯＳＤ信号を前記映像信号に重畳し重畳後の映像信号を出力する映像信号出力手段と、を備えることを特徴とする映像機器。
【請求項３】
ＯＳＤ画像の表示位置を含む表示領域における画像色の平均化を映像信号に基づき実行する画像色平均化手段と、該実行結果が示す色に応じて決定される色のＯＳＤ信号を前記映像信号に重畳し重畳後の映像信号を出力する映像信号出力手段と、を備えることを特徴とする映像機器。
【発明の詳細な説明】
【技術分野】
【０００１】
本発明は、ＯＳＤ機能を有する映像機器に関する。
【背景技術】
【０００２】
ＯＳＤ（Ｏｎ  Ｓｃｒｅｅｎ  Ｄｉｓｐｌａｙ）機能を有する映像機器は従来から様々開発されている（例えば、特許文献１参照）。従来のこのような映像機器において、ＯＳＤ画像の色についてはユーザが予め設定することができ、設定された色でＯＳＤ画像を表示させることが可能であった。
【特許文献１】特開２００１−９２４１８号公報
【発明の開示】
【発明が解決しようとする課題】
【０００３】
しかし、上記従来の映像機器では、ＯＳＤ画像を表示させたときにＯＳＤ画像の設定された色がＯＳＤ画像の周りの画像の色と類似する場合、ＯＳＤ画像の視認性が悪化するといった問題があった。
【０００４】
上記問題点を鑑み、本発明は、ＯＳＤ画像の視認性を向上させることができる映像機器を提供することを目的とする。
【課題を解決するための手段】
【０００５】
上記目的を達成するために本発明の映像機器は、ＯＳＤ画像の表示位置を含む表示領域における画像色の平均化を映像信号に基づき実行する画像色平均化手段と、該実行結果が示す色に応じて決定される色のＯＳＤ信号を前記映像信号に重畳し重畳後の映像信号を出力する映像信号出力手段と、を備えることを特徴としている。
【０００６】
このような構成によれば、ＯＳＤ画像周りの画像に対するＯＳＤ画像のコントラストをつけることができ、ＯＳＤ画像の視認性を向上させることができる。
【０００７】
より具体的には、本発明の映像機器は、ＯＳＤ画像の表示位置を含む表示領域における画像色の平均化を映像信号に基づき実行する画像色平均化手段と、該実行結果が示す色に対する反対色を決定する反対色決定手段と、該決定された反対色のＯＳＤ信号を前記映像信号に重畳し重畳後の映像信号を出力する映像信号出力手段と、を備えることを特徴としている。
【０００８】
また、前記表示領域は表示画面の一部とすることが望ましい。これにより、ＯＳＤ画像付近の色に基づいてＯＳＤ画像の色が決定されるため、コントラストの面でより適した色でＯＳＤ画像を表示させることができ、視認性がより向上する。
【発明の効果】
【０００９】
本発明の映像機器によれば、ＯＳＤ画像の視認性を向上させることができる。
【発明を実施するための最良の形態】
【００１０】
以下、本発明の実施形態について図面を参照して説明する。
【００１１】
図１に、本発明に係る液晶テレビの概略構成図を示す。本発明に係る液晶テレビは、チューナ２と、ＩＦ回路３と、映像出力回路４と、ＬＣＤ５と、マイコン６と、リモコン受信部７とを備える。
【００１２】
アンテナ１は放送電波をＲＦ信号に変換し、ＲＦ信号をチューナ２に出力する。チューナ２は、マイコン６から指示されるチャンネルのＲＦ信号をアンテナ２から入力されるＲＦ信号より抽出し、抽出されたＲＦ信号を中間周波信号に変換しＩＦ回路３に出力する。ＩＦ回路３は、入力される中間周波信号からカラー映像信号を検波し検波されたカラー映像信号を映像出力回路４に出力する。映像出力回路４は、ＩＦ回路３から入力されるカラー映像信号をＲＧＢ信号に変換し、変換されたＲＧＢ信号にＯＳＤ信号を重畳して重畳後の映像信号をＬＣＤ５に出力し、ＬＣＤ５に映像を表示させる。リモコン受信部７は不図示のリモコンからの赤外線信号を受信しコード信号をマイコン６に出力する。
【００１３】
このような構成の本発明に係る液晶テレビにおけるＯＳＤ表示動作について以下、図２に示すフローチャートに沿って説明する。
【００１４】
不図示のリモコンにおいてＯＳＤ表示操作がされ、リモコン受信部７が操作に対応するコード信号をマイコン６に出力すると、ステップＳ１で、マイコン６は映像出力回路４にＯＳＤ表示を指示すると共に、ＯＳＤ画像の表示位置を示す表示位置情報を映像出力回路４に出力する。
【００１５】
すると、ステップＳ２で、映像出力回路４は、上記表示位置情報が示すＯＳＤ画像の表示位置を含み、表示画面の一部であるような表示領域における画像色の平均化をＲＧＢ信号に基づき実行し、実行結果をマイコン６に通知する。ここで図３に、ＯＳＤ画像が例えばチャンネル表示“ＣＨ１３”である場合の上記表示領域を示す。
【００１６】
そして、ステップＳ３で、マイコン６は、映像出力回路４から通知される画像色平均結果が示す色に対する反対色を決定し、決定された反対色を映像出力回路４に通知する。
【００１７】
そして、ステップＳ４で、映像出力回路４は、マイコン６から通知される反対色のＯＳＤ信号をＲＧＢ信号に重畳し、重畳後の映像信号をＬＣＤ５に出力する。すると、ＬＣＤ５には、放送画像に上記反対色のＯＳＤ画像が重畳されて表示される。
【００１８】
このような本実施形態によれば、ＯＳＤ画像周りの画像に対するＯＳＤ画像のコントラストをつけることができ、ＯＳＤ画像の視認性を向上させることができる。また、画像色平均化の対象となる上記表示領域は表示画面の一部とすることで、ＯＳＤ画像付近の色に基づいてＯＳＤ画像の色が決定されるため、コントラストの面でより適した色でＯＳＤ画像を表示させることができ、視認性がより向上する。
【００１９】
なお、本発明は、実施形態で説明した液晶テレビに限らず、ＰＣ用モニタ、ＤＶＤプレーヤ、プロジェクタ等、あらゆる映像機器に適用可能である。
【図面の簡単な説明】
【００２０】
【図１】は、本発明に係る液晶テレビの概略構成図である。
【図２】は、本発明に係るＯＳＤ表示動作に関するフローチャートである。
【図３】は、表示領域の一例を示す図である。
【符号の説明】
【００２１】
１    アンテナ
２    チューナ
３    ＩＦ回路
４    映像出力回路
５    ＬＣＤ
６    マイコン
７    リモコン受信部
【図１】
2008197300.tif 000003
【図２】
2008197300.tif 000004
【図３】
2008197300.tif 000005